【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
冷却管アセンブリであって、前記冷却管アセンブリは、
第１の端部から第２の端部へ延伸する円筒形の冷却管であって、内面、外面、内径及び外径を有し、第１の複数の貫通孔と、前記第１の複数の貫通孔と前記冷却管の前記第２の端部との間に軸方向に配置された第２の複数の貫通孔とを含み、前記第２の複数の貫通孔のそれぞれは前記第１の複数の貫通孔のそれぞれから円周方向にオフセットする、冷却管と、
第１の端部から第２の端部へ延伸するノズルであって、前記ノズルの前記第１の端部は前記冷却管の内部に配置され、前記第１の複数の貫通孔は前記冷却管の前記第２の端部と前記ノズルの前記第１の端部との間に軸方向に配置される、ノズルと、を有し、
前記ノズルは、外径が前記冷却管の前記内径より小さい第１の部分と、外径が前記冷却管の前記内径より大きい第２の部分とを含み、
前記ノズルは前記第１の端部から前記第２の端部へ延伸する穴を含み、前記穴は前記第１の端部から接合点まで延伸する第１の部分において第１の断面積を有し、
前記第１の複数の貫通孔のそれぞれは断面積を有し、
前記第１の複数の貫通孔のそれぞれの前記断面積は前記ノズルの前記穴の前記第１の断面積の５％から１５％である、
冷却管アセンブリ。
【請求項２】
請求項１に記載の冷却管アセンブリであって、前記第１の複数の貫通孔のそれぞれの前記断面積は前記ノズルの前記穴の前記第１の断面積の８％から１２％である、
冷却管アセンブリ。
【請求項３】
請求項１に記載の冷却管アセンブリであって、前記第１の複数の貫通孔は前記冷却管の円周に均一に離間する、
冷却管アセンブリ。
【請求項４】
請求項１に記載の冷却管アセンブリであって、
前記第２の複数の貫通孔のそれぞれは断面積を有し、
前記第２の複数の貫通孔は前記冷却管の円周に均一に離間する、
冷却管アセンブリ。
【請求項５】
請求項４に記載の冷却管アセンブリであって、
各貫通孔が断面積を有し、前記第２の複数の貫通孔と前記冷却管の前記第２の端部との間に配置される第３の複数の貫通孔を更に備える、
冷却管アセンブリ。
【請求項６】
請求項５に記載の冷却管アセンブリであって、前記第１の複数の貫通孔、前記第２の複数の貫通孔、及び前記第３の複数の貫通孔の全ての前記断面積の合計は、前記穴の前記第１の部分の前記第１の断面積の１００％から３００％である、
冷却管アセンブリ。
【請求項７】
請求項１に記載の冷却管アセンブリであって、前記穴の前記断面積は前記接合点から前記第２の端部まで増加する、
冷却管アセンブリ。
【請求項８】
請求項１に記載の冷却管アセンブリであって、
前記ノズルの前記穴は中央軸に沿って延伸し、
前記ノズルの前記外面は前記第１の端部から接合点まで延伸する第１の部分を含み、
前記第１の部分は前記中央軸に対して５°から１５°の角度を形成する、
冷却管アセンブリ。
【請求項９】
請求項１に記載の冷却管アセンブリであって、
前記ノズルの前記外面は第１の部分を有し、前記第１の部分は前記中央軸に対して１０°の角度を形成する、
冷却管アセンブリ。
【請求項１０】
請求項１に記載の冷却管アセンブリであって、前記ノズルは、１．４１６立方メートル／分（５０立方フィート／分）から１．６９９立方メートル／分（６０立方フィート／分）の速度で前記第１の端部から前記第２の端部まで前記ノズルを通して１．５バールの圧力で空気を通過させるように構成される、
冷却管アセンブリ。
【請求項１１】
請求項１０に記載の冷却管アセンブリであって、前記ノズルは、１．５８６立方メートル／分（５６立方フィート／分）の速度で前記第１の端部から前記第２の端部まで前記ノズルを通して１．５バールの圧力で空気を通過させるように構成される、
冷却管アセンブリ。
【請求項１２】
冷却管アセンブリであって、前記冷却管アセンブリは、
第１の端部から第２の端部へ延伸する円筒形の冷却管であって、内面、外面、内径及び外径を有し、第１の複数の貫通孔と、前記第１の複数の貫通孔と前記冷却管の前記第２の端部との間に軸方向に配置された第２の複数の貫通孔とを含み、前記第２の複数の貫通孔のそれぞれは前記第１の複数の貫通孔のそれぞれから円周方向にオフセットする、冷却管と、
第１の端部から第２の端部へ延伸するノズルであって、前記ノズルの前記第１の端部は前記冷却管の内部に配置され、前記第１の複数の貫通孔は前記冷却管の前記第２の端部と前記ノズルの前記第１の端部との間に軸方向に配置される、ノズルと、を有し、
前記ノズルは、外径が前記冷却管の前記内径より小さい第１の部分と、外径が前記冷却管の前記内径より大きい第２の部分とを含み、
前記ノズルは前記第１の端部から前記第２の端部へ延伸する穴を含み、前記穴は前記第１の端部から接合点まで延伸する第１の部分において第１の断面積を有し、
前記第２の複数の貫通孔のそれぞれは断面積を有し、
前記第２の複数の貫通孔は前記冷却管の円周に均一に離間し、
各貫通孔が断面積を有し、前記第２の複数の貫通孔と前記冷却管の前記第２の端部との間に配置される第３の複数の貫通孔を更に備え、
前記第１の複数の貫通孔、前記第２の複数の貫通孔、及び前記第３の複数の貫通孔の全ての前記断面積の合計は、前記穴の前記第１の部分の前記第１の断面積の２１６％である、
冷却管アセンブリ。
【請求項１３】
冷却管アセンブリであって、前記冷却管アセンブリは、
第１の端部から第２の端部へ延伸する円筒形の冷却管であって、内面、外面、内径及び外径を有し、第１の複数の貫通孔と、前記第１の複数の貫通孔と前記冷却管の前記第２の端部との間に軸方向に配置された第２の複数の貫通孔とを含み、前記第２の複数の貫通孔のそれぞれは前記第１の複数の貫通孔のそれぞれから円周方向にオフセットする、冷却管と、
第１の端部から第２の端部へ延伸するノズルであって、前記ノズルの前記第１の端部は前記冷却管の内部に配置され、前記第１の複数の貫通孔は前記冷却管の前記第２の端部と前記ノズルの前記第１の端部との間に軸方向に配置される、ノズルと、を有し、
前記第１の複数の貫通孔のそれぞれの中心は、前記冷却管の中心軸に対して、どちらかの側の前記第１の複数の貫通孔の１つのそれぞれにおける中心から４５°離間している、
冷却管アセンブリ。
【請求項１４】
冷却管アセンブリであって、前記冷却管アセンブリは、
第１の端部から第２の端部へ延伸する円筒形の冷却管であって、内面、外面、内径及び外径を有し、第１の複数の貫通孔と、前記第１の複数の貫通孔と前記冷却管の前記第２の端部との間に軸方向に配置された第２の複数の貫通孔とを含み、前記第２の複数の貫通孔のそれぞれは前記第１の複数の貫通孔のそれぞれから円周方向にオフセットする、冷却管と、
第１の端部から第２の端部へ延伸するノズルであって、前記ノズルの前記第１の端部は前記冷却管の内部に配置され、前記第１の複数の貫通孔は前記冷却管の前記第２の端部と前記ノズルの前記第１の端部との間に軸方向に配置される、ノズルと、を有し、
前記第２の複数の貫通孔のそれぞれの中心は、前記冷却管の中心軸に対して、どちらかの側の前記第２の複数の貫通孔の１つのそれぞれにおける中心から４５°離間している、
冷却管アセンブリ。
【請求項１５】
冷却管アセンブリであって、前記冷却管アセンブリは、
第１の端部から第２の端部へ延伸する円筒形の冷却管であって、内面、外面、内径及び外径を有し、第１の複数の貫通孔と、前記第１の複数の貫通孔と前記冷却管の前記第２の端部との間に軸方向に配置された第２の複数の貫通孔とを含み、前記第２の複数の貫通孔のそれぞれは前記第１の複数の貫通孔のそれぞれから円周方向にオフセットする、冷却管と、
第１の端部から第２の端部へ延伸するノズルであって、前記ノズルの前記第１の端部は前記冷却管の内部に配置され、前記第１の複数の貫通孔は前記冷却管の前記第２の端部と前記ノズルの前記第１の端部との間に軸方向に配置される、ノズルと、を有し、前記ノズルは、前記ノズルは、外径が前記冷却管の前記内径より小さい第１の部分と、外径が前記冷却管の前記内径より大きい第２の部分とを含み、前記第２の部分の前記外径は、前記ノズルの最大の外径を画定し、前記第２の部分は、前記第１の端部と前記第２の端部との間に配置される座部のところで終端し、前記座部は、前記冷却管の前記第２の端部における前記冷却管の軸方向の面に対して着座し、
前記第１の複数の貫通孔のそれぞれの中心は、前記冷却管の中心軸に対して、どちらかの側に近接して最も近い前記第２の複数の貫通孔のそれぞれにおける中心から２２．５°円周方向にオフセットする、
冷却管アセンブリ。
【請求項１６】
請求項１５に記載の冷却管アセンブリであって、
前記第３の複数の貫通孔のそれぞれは、前記冷却管の中心軸に対して、前記第１の複数の貫通孔の１つと円周方向に整列する、
冷却管アセンブリ。